(57)【要約】【課題】  ツェルトは、自立ができないため二本のポールと張り綱で組み立てています。これを上手に組み立てるのには熟練した技能を要し、風のある時に一人で組み立てることは極めて困難でした。そこで、風の強い時でも一人でツェルトを組み立てられるフレームを検討しました。【解決手段】  ツェルト本体を広げ、内部に人が入ります。内部で、ツェルトの側面三角形と同型にポールを組み立て、側面にぴったりと当てます。両側面に当てた後、屋根部のポールを片方の側面三角形頂部に接続した後に、もう片方の側面三角形頂部に屋根部のポールを撓らせて接続します。接続部には０．０２ｍ程度の嵌め合いを設け、ポールを組み上げた状態のフレームはツェルト本体にぴったりと内接しており、風などの外力では分解することはありません。ツェルト用のフレームを作製し、強風時に一人で組み立てられることが確かめられ、本発明を完成しました。【選択図】  図１
2005048563.tif 000002
【特許請求の範囲】
【請求項１】
ツェルトの内側に、内辺と同サイズに組み上がるフレームをポールの撓りを利用して適当な嵌め合いで組み立てることにより、ツェルトの張りとポールが拮抗して自立可能となるフレーム。
【発明の詳細な説明】
【発明の詳細な説明】
【発明の属する技術の分野】
【０００１】  本発明は、登山用品としての、遊具に関する。
【背景技術】
【０００２】  ツェルト（簡易テント）は、それ自身では自立ができず、ポールを二本立ててその間に吊すように張っている。このポールもツェルトと張り綱の張力のバランスで立っている。これらを上手に組み立てるのには熟練した技能が必要である。また、風のある時に一人で組み立てることは、ツェルトが風であおられてしまうために、熟練した技能の持ち主でも極めて困難であった。さらに、ツェルトを吊すポールは出入り口となる面の中央に位置するため、荷物の出し入れの妨げにもなっていた。
【発明の開示】
【発明が解決しようとする課題】
【０００３】  ツェルトは、それ自身では自立ができないため、二本のポールと張り綱で組み立てている。このポールも自立はできず、ツェルト等と張り綱のバランスで立っているため、とても不安定である。また、これを上手に組み立てるのには熟練した技能が必要であった。そこで、張り綱がなくても自立ができ、ポールを二分することで出入り口を広くし、誰でも簡単に組み立てられるフレームを検討した。
【課題を解決するための手段】
【０００４】  ツェルトを支えるポールはそれ自身では自立ができず、二本の張り綱とツェルトのバランスで立っている。ツェルトは三角柱を横にした袋状で、三つの四角形（うち一つは底面）と二つの三角形から構成されている。このうち、底面は無視してそれぞれの辺に骨（脚ポールと屋根ポール）を入れると四本脚（自立フレーム）ができあがる。この自立フレームにツェルト本体を被せれば簡易テントができあがる。しかし、自立フレームを先に作ってしまうと、外からツェルト本体を被せるのは大変な作業なので、自立フレームは内側から組み立てられるように構成する。自立フレームの、三角形を構成する頂点の部分をＡ部品、三角形の二辺をそれぞれ脚ポール、二つの三角形を結ぶ四角形の一辺を屋根ポールとする。接続部分には０．０２ｍ程度の嵌め合いを設ける。この嵌め合いはポールを撓らせることで弦長を短くすることにより対応する。自立フレームは組み上げた状態で、使用するツェルトの各辺にぴったりと内接する大きさとする。
【発明を実施するための最良の形態】
【０００５】  発明の実施の形態を実施例にもとづき図面を参照して説明する。
図１は、ツェルト用自立フレームの正面図である。ツェルト本体（１）の五辺にポールが内接する自立フレームは、Ａ部品（２）２個と脚ポール（３）４本、それに屋根ポール（４）１本で構成する。４本の脚ポールはＡ部品を介して屋根ポールを支えツェルトの空間を構成する。ツェルト底面の四隅に脚ポールのそれぞれの片方が接しているが、縮むことはできないので底面を突っ張る様に立つことになる。組み立て方は、まず、ツェルト本体を広げて中に人が入る。これで人が重りとなりツェルトが風にとばされるのを防ぐ。次にツェルトの中でＡ部品に脚ポールを接続し、三角形の底辺から二辺にぴったりと当てる。両側の三角形ができたら片方のＡ部品に屋根ポールを接続する。もう片方のＡ部品を片手で支え、屋根ポールの端から約０．０５ｍ程の部分を握って撓らせて屋根ポールの端をＡ部品に接続する。撓らせることで弦長を短くして０．０２ｍ程度の嵌め合いが可能となる。ツェルト内で組み上げられた自立フレームは、屋根フレー厶を撓らせて約０．０２ｍの嵌め合いのあるＡ部品から分離されない限り、Ａ部品と脚ポールで構成される三角形を支え続ける。組み上がった自立フレームは外側をツェルトでぴったりと包まれているため、外力で分解することはない。Ａ部品と脚ポール、屋根ポールは、軽くて丈夫で撓りのある材質で製作する。具体的には、カーボンファイバーパイプが最適であるが、ＦＲＰ、ケブラー、ジュラルミン等のアルミニウム合金、ステンレス等の合金鋼、鉄等の炭素鋼で製作することもできる。各ポールの外径とＡ部品の内径は同サイズであり、カーボンファイバーパイプでは、外径６〜８ｍｍが適しているが他の素材ではやや太めにする。図２は、ツェルト用自立フレームの側面図である。ツェルト本体（１）をＡ部品（２）に接続する２本の脚ポール（３）が三角形を構成し側面にぴったりと内接している。脚ポールの長さは三角形の二辺と同じなので、それぞれの辺が張った状態で底辺も張られている。出入り口にポールがないので、荷物の出し入れも従来形より容易となる。図３は、Ａ部品（２）部の拡大図で、Ａ形テントの例である。Ａ部品（２）に脚ポール（３）が接続され、さらに屋根ポール（４）が０．０２ｍ程度の嵌め合いをもって接続される。ツェルトの場合は、Ａ形テントフライシート受け（５）は不要である。図４は、図３を矢印の方向から見た図である。Ａ部品（２）に脚ポール（３）が接続されて、ツェルトの三角形の二辺を支える。ツェルトの場合は、Ａ形テントフライシート受け（５）は不要である。
【実施例２】
【０００６】  Ａ部品の上部にＡ形テントフライシート受け（５）を付けることで、Ａ形テントの自立フレー厶とすることができる。Ａ形テントの場合も、本体の組み立て方はツェルトとほぼ同様であるが、側面の三角形を組み立てる時に、Ａ部品上部の突起をＡ形テント本体に貫通させてから三角形の底辺に脚ポールを押し当てる。この尖った部分がＡ形テントの上部に出てフライシートを受ける。フライシートの底辺は従来と同様にペグで固定するか、ロープで結んだ石等で固定する。
【発明の効果】
【０００７】  従来のツェルトは組み立てるのに熟練した技能を必要とした。また、風のある時は組み立てるのが非常に困難であった。さらに、三角形をした面の中央にポールが立っているため荷物の出し入れの妨げになっていた。しかし、この発明品の自立フレームは、屋根ポールを撓らせて弦長を１％程度短くする力があれば、誰でも容易に組み立てることができる。また、人が乗ってツェルトの内側から組み立てるため、風があっても組み立てることが可能である。さらに、三角形をした面にポールがないので荷物の出し入れ、人の出入りが容易である。
【図面の簡単な説明】
【０００８】
【図１】  ツェルト用自立フレームを組み立てた正面図。ツェルト本体（１）は、ツェルト自立フレーム全体を包む様に組み上がる。Ａ部品（２）が脚ポール（３）と屋根ポール（４）を接続して四本脚のフレームとなる。ツェルト本体に包まれているため、Ａ部品（２）に屋根ポール（４）を接続する時は、屋根ポールを撓らせて弧の長さを短くして嵌め合わせる。
【図２】  ツェルト用自立フレームを組み立てた側面図。ツェルト本体（１）は、この方向でもツェルト自立フレーム全体を包むように組み上がる。Ａ部品（２）に脚ポール（３）が接続されている。
【図３】  Ａ形テント用Ａ部品（２）部分を拡大した図。上半分は断面図である。Ａ部品（２）に脚ポール（３）および屋根ポール（４）は０．０２ｍ程度の嵌め合いをもって接続されている。Ａ形テントフライシート受け（５）は、ツェルトの場合不要。
【図４】  図３を矢印の方向から見た図である。Ａ部品（２）に脚ポール（３）は０．０２ｍ程度の嵌め合いをもって接続されている。Ａ形テントフライシート受け（５）は、ツェルトの場合不要。
【符号の説明】
【０００９】１ツェルト本体
２Ａ部品
３脚ポール
４屋根ポール
５Ａ形テントフライシート受け
【図１】
2005048563.tif 000003
【図２】
2005048563.tif 000004
【図３】
2005048563.tif 000005
【図４】
2005048563.tif 000006